【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
プロセッサを有するコンピュータによって実施されるオファーを選択する方法において、
前記プロセッサが、視聴者プロフィール及び現在の番組データの少なくとも１つに基づいて複数の可能なオファーから１つ以上のオファーを選択するステップであって、前記視聴者プロフィールは、放送及び非放送の視聴活動の両方に関連する複数のユーザの視聴行動の追跡結果に基づくものであり、前記放送視聴活動は放送コンテンツに関連し、前記非放送活動は非放送コンテンツに関連するものであるステップと、
前記プロセッサが前記１つ以上の選択されたオファーを放送コンテンツを視聴しているユーザに対してディスプレイデバイス上に提示するステップであって、前記放送コンテンツはコンテンツ提供者からのビデオ番組コンテンツであり、前記１つ以上の選択されたオファーはビデオ番組コンテンツではなくビデオ番組コンテンツとともにコード化されていないデータ及びコンテンツを含む非放送コンテンツとして提示されるものであるステップと、
リモートコントロール装置を介して前記プロセッサによって、前記１つ以上の提示されたオファーへのレスポンスを受信するステップであって、前記レスポンスは前記１つ以上の提示されたオファーの前記ユーザの許諾又は拒否に関連するものであるステップと、
前記プロセッサによって、前記ユーザからの前記レスポンスに基づいて前記視聴者プロフィール中の前記非放送コンテンツの視聴活動を更新するステップと、
を備えた方法。
【請求項２】
前記１つ以上のオファーのソースに関する情報を前記ユーザからの前記レスポンスに基づき前記ユーザに送信するステップを含む請求項１に記載の方法。
【請求項３】
前記１つ以上のオファーのソースに関する情報は、前記１つ以上のオファーのためのオンライン市場の位置を含む請求項２に記載の方法。
【請求項４】
前記ユーザからの前記レスポンスは、視聴する放送コンテンツ、要求される非放送コンテンツ、記録のために選択されたコンテンツ、チャンネル切り換え行動、及びボリューム調整、の少なくとも１つに関連する請求項１に記載の方法。
【請求項５】
前記１つ以上のオファーを含む、放送コンテンツ及び非放送コンテンツを受信するために、前記ユーザをユニークな識別コードに関連付けるステップを含む請求項１に記載の方法。
【請求項６】
前記１つ以上のオファーは、所定の時間切れを伴う時間ベースの商業的な時間ベースオファーを含む請求項１に記載の方法。
【請求項７】
前記１つ以上の選択されたオファーを提示する前記ステップは、リモートコントロール装置上で前記１つ以上の選択されたオファーを表示するステップを含む請求項１に記載の方法。
【請求項８】
前記視聴者プロフィールは、広告、情報、及び将来の番組のターゲットを決定するために使用される請求項１に記載の方法。
【請求項９】
オファーを選択するシステムにおいて、
ネットワークを経てクライアント側装置に結合されたリモートサーバーであって、
視聴者プロフィール及び現在の番組データの少なくとも１つに基づいて複数の可能なオファーから１つ以上のオファーを選択し、前記視聴者プロフィールは、放送及び非放送の視聴活動の両方に関連する複数のユーザの視聴行動の追跡結果に基づくものであり、前記放送視聴活動は放送コンテンツに関連し、前記非放送活動は非放送コンテンツに関連するものであり、
前記１つ以上の選択されたオファーを放送コンテンツを視聴しているユーザに対してディスプレイデバイス上に提示し、
前記放送コンテンツはコンテンツ提供者からのビデオ番組コンテンツであり、前記１つ以上の選択されたオファーはビデオ番組コンテンツではなくビデオ番組コンテンツとともにコード化されていないデータ及びコンテンツを含む非放送コンテンツとして提示されるものであり、そして
リモートコントロール装置を介して、前記１つ以上の提示されたオファーへのレスポンスを受信し、前記レスポンスは前記１つ以上の提示されたオファーの前記ユーザの許諾又は拒否に関連するものでり、
前記ユーザからの前記レスポンスに基づいて前記視聴者プロフィール中の前記非放送コンテンツの視聴活動を更新する、
ためのリモートサーバー、
を備えたシステム。
【請求項１０】
前記１つ以上のオファーのソースに関する情報が前記ユーザからの前記レスポンスに基づき前記ユーザに送信される請求項９に記載のシステム。
【請求項１１】
前記１つ以上のオファーのソースに関する情報は、前記１つ以上のオファーのためのオンライン市場の位置を含む請求項１０に記載のシステム。
【請求項１２】
前記ユーザからの前記レスポンスは、視聴する放送コンテンツ、要求される非放送コンテンツ、記録のために選択されたコンテンツ、チャンネル切り換え行動、及びボリューム調整、の少なくとも１つに関連する請求項９に記載のシステム。
【請求項１３】
前記１つ以上のオファーを含む、放送コンテンツ及び非放送コンテンツを受信するために、前記ユーザはユニークな識別コードに関連付けられる請求項９に記載のシステム。
【請求項１４】
前記１つ以上のオファーは、所定の時間切れを伴う時間ベースの商業的な時間ベースオファーを含む請求項９に記載のシステム。
【請求項１５】
前記１つ以上の選択されたオファーは、リモートコントロール装置上で表示される請求項９に記載のシステム。
【請求項１６】
前記視聴者プロフィールは、広告、情報、及び将来の番組のターゲットを決定するために使用される請求項９に記載のシステム。
【請求項１７】
プログラム可能なプロセッサによって実行された時にオファーを選択する方法を実行するために動作可能なコンピュータプログラムコードを記憶したコンピュータ読取可能記録媒体であって、前記コンピュータ読取可能記録媒体は、
視聴者プロフィール及び現在の番組データの少なくとも１つに基づいて複数の可能なオファーから１つ以上のオファーを選択するステップであって、前記視聴者プロフィールは、放送及び非放送の視聴活動の両方に関連する複数のユーザの視聴行動の追跡結果に基づくものであり、前記放送視聴活動は放送コンテンツに関連し、前記非放送活動は非放送コンテンツに関連するものであるステップを実行するコンピュータ読取可能プログラムコードと、
前記１つ以上の選択されたオファーを放送コンテンツを視聴しているユーザに対してディスプレイデバイス上に提示するステップであって、前記放送コンテンツはコンテンツ提供者からのビデオ番組コンテンツであり、前記１つ以上の選択されたオファーはビデオ番組コンテンツではなくビデオ番組コンテンツとともにコード化されていないデータ及びコンテンツを含む非放送コンテンツとして提示されるものであるステップを実行するコンピュータ読取可能プログラムコードと、
リモートコントロール装置を介して、前記１つ以上の提示されたオファーへのレスポンスを受信するステップであって、前記レスポンスは前記１つ以上の提示されたオファーの前記ユーザの許諾又は拒否に関連するものであるステップを実行するコンピュータ読取可能プログラムコードと、
前記ユーザからの前記レスポンスに基づいて前記視聴者プロフィール中の前記非放送コンテンツの視聴活動を更新するステップを実行するコンピュータ読取可能プログラムコードと、
を備えたコンピュータ読取可能記録媒体。
【請求項１８】
前記１つ以上のオファーのソースに関する情報を前記ユーザからの前記レスポンスに基づき前記ユーザに送信するステップを実行するコンピュータ読取可能プログラムコードを含む請求項１７に記載のコンピュータ読取可能記録媒体。
【請求項１９】
前記１つ以上のオファーのソースに関する情報は、前記１つ以上のオファーのためのオンライン市場の位置を含む請求項１８に記載のコンピュータ読取可能記録媒体。
【請求項２０】
前記ユーザからの前記レスポンスは、視聴する放送コンテンツ、要求される非放送コンテンツ、記録のために選択されたコンテンツ、チャンネル切り換え行動、及びボリューム調整、の少なくとも１つに関連する請求項１７に記載のコンピュータ読取可能記録媒体。
【請求項２１】
前記１つ以上のオファーを含む、放送コンテンツ及び非放送コンテンツを受信するために、前記ユーザをユニークな識別コードに関連付けるステップを実行するコンピュータ読取可能プログラムコードを含む請求項１７に記載のコンピュータ読取可能記録媒体。
【請求項２２】
前記１つ以上のオファーは、所定の時間切れを伴う時間ベースの商業的な時間ベースオファーを含む請求項１７に記載のコンピュータ読取可能記録媒体。
【請求項２３】
前記１つ以上の選択されたオファーを提示する前記ステップを実行するコンピュータ読取可能プログラムコードは、リモートコントロール装置上で前記１つ以上の選択されたオファーを表示するステップを実行するコンピュータ読取可能プログラムコードを含む請求項１７に記載のコンピュータ読取可能記録媒体。
【請求項２４】
前記視聴者プロフィールは、広告、情報、及び将来の番組のターゲットを決定するために使用される請求項１７に記載のコンピュータ読取可能記録媒体。